(57)【要約】  ヤーンを使用して様々な工芸品を作成するために有用な、改善された多目的ツールが開示される。ツールは、底部及び上部を備える。底部は、一つ以上の底部部材を備え、当該一つ以上の底部部材は、その間に空間を有し、下向きに延在し、一つ以上の底部部材の端部において互いに略平行である。上部は、一つ以上の上部部材を備え、当該一つ以上の上部部材は、その間に空間を有し、上向きに延在し、一つ以上の上部部材の端部において互いに略平行である。ツールはまた、一つ以上の底部部材の端部及び一つ以上の上部部材の端部に含まれる一つ以上のノッチを含む。ノッチは、上部及び／又は底部とともに、使用者が当該ツールを使用して様々な工芸品を簡単に作成することを可能にする。ツールはまた、ヤーンがねじれないように当該ヤーンを工作に使用するのに役立つ一つ以上の孔を含んでもよい。底部及び上部は、Ｙ字形状、Ｈ字形状、Ｘ字形状など、ツールのための様々な形状をともに形成する。加えて、ツールは、パチンコとしても機能してもよい。
2018528333.tif 000002
【特許請求の範囲】
【請求項１】
（ａ）二つ以上の上部部材を備える上部であって、前記二つ以上の上部部材は、その間に空間を有し、上向きに延在し、前記二つ以上の上部部材の端部において互いに略平行である、上部と；
（ｂ）一つ以上の底部部材を備える底部であって、二つ以上の底部部材が存在する場合、前記底部部材は、その間に空間を有し、下向きに延在し、前記底部部材の端部において互いに略平行である、底部と；
（ｃ）複数のノッチであって、前記ノッチのうち一つ以上は、前記一つ以上の底部部材の各々の前記端部に含まれ、前記ノッチのうち一つ以上は、前記一つ以上の上部部材の前記端部の各々に含まれる、ノッチと、
を備える多目的ツール。
【請求項２】
一つ以上の孔をさらに備え、前記一つ以上の孔は、前記多目的ツールの前記底部又は中間部に含まれる、請求項１に記載の多目的ツール。
【請求項３】
（ａ）前記底部は、一つの底部部材を有し；
（ｂ）前記上部は、丸みを帯びた溝を有するＵ字形状をともに形成する二つの上部部材を有し；
（ｃ）前記底部及び前記上部は、Ｙ字形状をともに形成する、
請求項１に記載の多目的ツール。
【請求項４】
（ａ）前記底部は、四角形状の溝を有する逆Ｕ字形状をともに形成する二つの底部部材を有し；
（ｂ）前記上部は、四角形状の溝を有するＵ字形状をともに形成する二つの上部部材を有し；
（ｃ）前記底部及び前記上部は、Ｈ字形状をともに形成する、
請求項１に記載の多目的ツール。
【請求項５】
前記多目的ツールの中間部に含まれる一つの孔をさらに備える、請求項４に記載の多目的ツール。
【請求項６】
前記底部は、二つの底部部材を有する、請求項１に記載の多目的ツール。
【請求項７】
前記多目的ツールの中間部に含まれる一つの孔をさらに備える、請求項６に記載の多目的ツール。
【請求項８】
（ａ）前記底部は、一つの部材を有し；
（ｂ）前記上部は、四角形状の溝を有するＵ字形状をともに形成する二つの上部部材を有し；
（ｃ）前記底部は、前記二つの上部部材の間の前記空間よりも幅広であり；
（ｄ）前記底部及び前記上部は、逆Ａ字形状をともに形成する、
請求項１に記載の多目的ツール。
【請求項９】
前記多目的ツールの中間部に含まれる一つの孔をさらに備える、請求項８に記載の多目的ツール。
【請求項１０】
工芸品を作成するために請求項１に記載の多目的ツールを使用する方法であって、
（ａ）前記一つ以上の上部部材に含まれる前記一つ以上のノッチのうち一つにヤーンの一端を固定するステップと；
（ｂ）前記一つ以上の底部部材に含まれる前記一つ以上のノッチのうち一つに前記ヤーンの別の部分を固定するステップと；
（ｃ）前記上部又は前記底部の任意の部分に沿って前記ヤーンを任意のパターンで複数回織るステップと、
を含む方法。
【請求項１１】
前記ヤーンは、先に織られたヤーンの張りを通じて織られる、請求項１０に記載の方法。
【請求項１２】
前記ヤーンは、前記多目的ツールの前記底部又は中間部に含まれる一つ以上の孔に通される、請求項１０に記載の方法。
【請求項１３】
ポンポン及びタッセルを作成するための請求項１に記載の多目的ツールを使用する方法であって、
（ａ）前記一つ以上の上部部材に含まれる前記一つ以上のノッチのうち一つにヤーンの一端を固定するステップと；
（ｂ）前記二つの上部部材と交差するように前記二つの上部部材の周りに水平に前記ヤーンを複数回巻き付けるステップと；
（ｃ）前記二つの上部部材の間で延在する巻き付けられた前記ヤーンのすべてを、任意の点において、巻き付けられた前記ヤーンと交差する方向に結わうステップと、
を含む方法。
【発明の詳細な説明】
【技術分野】
【０００１】
［関連出願の相互参照］
本出願は、２０１５年６月２９日に出願され、その内容全体が参照により本明細書に組み込まれる米国特許出願６２／１８５、９４５に基づく優先権の利益を主張するものである。
【背景技術】
【０００２】
本発明は、一般に美術工芸に関する。より具体的には、本発明は、様々な織物及び繊維ベースの工芸品を作成するための、改善された多目的工芸品作製ツールに関する。
【０００３】
現在、美術工芸の分野では、ポンポン、タッセル、友情のブレスレット、様々な紐（ｃｏｒｄｓ）及び織物（ｗｅａｖｉｎｇｓ）といった様々な工芸品を作るには、上述の工芸品の各々を作るための異なるツール又はデバイスを購入する必要がある。例えば、ポンポンのメーカーは、ポンポンは作れるが、タッセルや友情のブレスレットを作ることはできない。さらに、現在入手可能なツールでは、使用者は、ネックレスやブレスレットなどの連鎖状の品物かポンポンなどの非連鎖状の品物か、いずれかしか作ることができない。入手可能なツールはまた、使用中に繊維をもつれていない状態に保つような良好な手段を提供するものではない。また、現在のツール又はデバイスのうちいくつかは、追加の部品や可動部品を有する。このため、使い勝手良く様々な工芸品を作成するための多目的ツールが必要とされている。
【発明の概要】
【課題を解決するための手段】
【０００４】
本発明は、使用者が当該ツールを用いて様々な織物工芸品、非織物工芸品、及び繊維ベースの工芸品を作ることを可能にする、改善された多目的工芸ツールである。ツールは、Ｈ字形状、Ｙ字形状、Ａ字形状その他の形状をともに形成する下部及び上部を有する。ツールの端部は、一つ以上のリッジを有し、当該リッジは、上部及び／又は下部とともに、ポンポン、友情のブレスレット、タッセルなどの様々な工芸品を作るために繊維又はヤーンの固定を可能にするか、又は織り作業のための縦糸のセットアップを可能にする。ツールは、一つ以上の孔を有し、ヤーン又は繊維がもつれないようにヤーン又は繊維を当該孔に通すことができる。ツールはまた、パチンコとして機能してもよい。
【図面の簡単な説明】
【０００５】
【図１】本発明の一実施形態に係る多目的工芸ツールの斜視図である。
【図２Ａ】本発明の一実施形態に係る図１の工芸ツールの正面立面図である。
【図２Ｂ】本発明の一実施形態に係る図１の工芸ツールの側面立面図である。
【図３】本発明の第２実施形態に係る多目的工芸ツールの斜視図である。
【図４】本発明の第３実施形態に係る多目的工芸ツールの斜視図である。
【図５】本発明の第４実施形態に係る多目的工芸ツールの斜視図である。
【図６Ａ】図１の工芸ツールの斜視図であって、本発明の一実施形態に従い、これを使用してポンポンを作る様子が示されている。
【図６Ｂ】図１の工芸ツールの斜視図であって、本発明の一実施形態に従い、これを使用して織物を作る様子が示されている。
【図６Ｃ】図１の工芸ツールの斜視図であって、本発明の一実施形態に従い、これを使用してブレスレットを作る様子が示されている。
【図６Ｄ】図１の工芸ツールの斜視図であって、本発明の一実施形態に従い、これを使用して編み紐を作る様子が示されている。
【図６Ｅ】図１の工芸ツールの斜視図であって、本発明の一実施形態に従い、これを使用して別の織物を作る様子が示されている。
【図６Ｆ】図１の工芸ツールの斜視図であって、本発明の一実施形態に従い、これをパチンコとして使用する様子が示されている。
【発明を実施するための形態】
【０００６】
以下の詳細な説明及び添付図面では、本発明の様々な態様及び／又は実施形態が開示される。本開示の範囲を逸脱することなく、代替的な態様及び／又は実施形態が考案され得る。加えて、本開示の関連の深い箇所の詳細が曖昧にならないように、本開示の周知の要素については詳細に説明しないか又は省略した。
【０００７】
「例示的な（ｅｘｅｍｐｌａｒｙ）」、「例えば（ｅ．ｇ．）」、「〜などの、〜といった（ｓｕｃｈ  ａｓ）」、及び／又は「例（ｅｘａｍｐｌｅ）」との語は、本明細書において、一例、例示、又は実例としての意味で使用される。「例示的な」、「例えば」、「〜などの、〜といった」、及び／又は「例」として本明細書に記載された任意の態様又は実施形態は、必ずしも他の態様又は実施形態に対して好ましいもの又は有利なものとして解釈すべきものではない。同様に、「本開示／本発明の態様／実施形態」との語は、すべての態様又は実施形態が説明される特徴、利点又は作動形態を含むことを要求するものではない。「ヤーン（ｙａｒｎ）」との語が本明細書で使用される場合、これはヤーン、糸（ｔｈｒｅａｄｓ）、撚り糸（ｔｗｉｎｅｓ）、その他の類似の材料を指し、これらは区別せずに使用される。「ノッチ（ｎｏｔｃｈｅｓ）」及び「リッジ（ｒｉｄｇｅｓ）」との語は、本明細書においては区別せずに使用される。
【０００８】
図１を参照すると、本発明の一実施形態に係る例示的な工芸ツール１００が開示されている。ツール１００は、下部又は底部１１０及び上部１２０を備える。底部１１０は直線状であり、上部１２０はＵ字形状を形成する。上部１２０は、Ｕ字形状をともに形成する第１上部部材１２０ａ及び第２上部部材１２０ｂを有する。第１上部部材１２０ａ及び第２上部部材１２０ｂは、底部から上向きに延在し、第１上部部材及び第２上部部材の各端部では互いに略平行である。第１上部部材１２０ａ及び第２上部部材１２０ｂのそれぞれは、各々の端部において一つ以上のノッチ又はリッジ１２５ａを有する。第１上部部材及び第２上部部材により形成されたＵ字形状のベース又は溝は丸みを帯びており、一つ以上のノッチ１２５ｂを有してもよい。底部１１０も、端部において一つ以上のノッチ１１５を有する。底部及び上部は、Ｙ字型ツールをともに形成する。ツールの底部は、ハンドルとしても働き、使用中に使用者が当該ツールを保持するのに役立つ。ツールの底部及び上部は、ノッチとともに、使用者が固定し、巻き付け、又は織ることを可能にする。工芸ツールは、底部１１０又はツールの中央若しくは中間部に一つ以上の孔１３０を有し得る。この孔は、円形であってもよく他の任意の形状であってもよい。
【０００９】
ノッチ１１５、１２５ａ及び１２５ｂは、糸又はヤーンの多重ストランドを用いた織り技術（ｗｅａｖｉｎｇ）、機織り技術（ｌｏｏｍｉｎｇ）、編み技術（ｂｒａｉｄｉｎｇ）、その他の任意の工作技術を利用するために、様々な糸又はヤーンをツールに固定するために使用され得る。底部の孔１３０は、工作プロセスにおいて、ノッチ１１５、１２５ａ及び１２５ｂを補完するために使用され得る。孔１３０は、工作中にヤーンを所定位置に留めておくのにも役立ち、そのような材料のストランドがいくつか必要となるブレスレット及び紐を編む場合に、編んでいる最中に各ストランドがねじれないようにしておくために特に有用である。図２Ａ及び図２Ｂはそれぞれ、図１の工芸ツールの正面立面図及び側面立面図を示す。
【００１０】
別の実施形態では、上部の第１部材１２０ａ及び第２部材１２０ｂは、異なる形状を形成してもよい。上部と同様に、底部１１０が、逆Ｕ字形状をともに形成する第１底部部材１１０ａ及び第２底部部材１１０ｂを有してもよい。第１底部部材及び第２底部部材は、上部から下向きに延在し、第１底部部材及び第２底部部材の各端部では互いに略平行である。第１底部部材及び第２底部部材により形成された逆Ｕ字形状のベース又は溝は、ノッチがなく平坦である。上部のＵ字形状は、平坦な溝を有する四角形状のＵ字形状であってもよく、底部により形成されるＵ字形状より大きいものとしてもよい。これは図３に示されており、全体としてＨ字形状又はロボット形状を有するツールが得られる。さらに、孔１３０はツールの中心に一つだけ設けられていてもよく、孔が設けられなくてもよい。
【００１１】
図４に示すさらに別の実施形態では、底部１１０は、二つの上部部材の間の空間よりも幅広の部材を一つだけ有する。上部の二つの上部部材は、ツールは全体的な逆Ａ字形状を有するように、Ｕ字形状を形成する。あるいは、上部１２０は、ツールが本来のＡ字形状を形成するように、部材を一つだけ有して二つの底部部材の間の空間より幅広であってもよい。幅広の底部１１０の端部は、複数のノッチ１１５を有し得る。第１上部部材及び第２上部部材により形成された上部のＵ字形状のベース又は溝は、ノッチがなく平坦である。あるいは、このベース又は溝は、一つ以上のノッチを有してもよい。図５に示すさらに別の実施形態では、底部１１０の第１底部部材及び第２底部部材は、丸みを帯びた溝を有する逆Ｕ字形状を形成する。上部１２０の第１上部部材及び第２上部部材は、ツールがＸ字形状又は染色体形状を形成するように、丸みを帯びた溝を有するＵ字形状を形成する。
【００１２】
上部及び／又は底部は他の形状とすることも可能であり、ツール１００が異なる全体形状となる。また、各部材、ノッチ、及び孔が本明細書に記載された本発明に従って機能する限り、孔及びノッチは、ツール１００に沿って異なる位置に配置されてもよい。例えば、ツールは、Ｖ字形状や長方形形状などを有してもよい。上部又は下部により形成された形状のベース又は溝は、丸みを帯びていてもよく、直線状であってもよい。さらに、ツールの底部は、下向きに延在する三つ以上の部材を有してもよい。ツールの上部もまた、上向きに延在する三つ以上の部材を有してもよい。例えば、ツールは、上部に三つの部材を有し得る。ツールは、一つ又は二つより多く又はより少なく孔１３０を有し得る。あるいは、ツールは孔を有さなくてもよい。同様に、ツールは、多かれ少なかれノッチ１１５又は１２５ａ若しくは１２５ｂを有し得る。いくつかの実施形態では、ノッチ１２５ｂがなくてもよい。ノッチは、ヤーンを所定位置に固定することができるものであれば、丸みを帯びた形状、テーパ形状、スリット状、湾曲形状、直線状、ジグザグ状など、適切な任意の形状であってよい。さらに、ツールが当該ツールの上部又は下部の第１部材及び第２部材に二つ以上のノッチを有する場合、ノッチは、互いから等距離に配置されてもよく、等距離でなくてもよい。別の代替的な実施形態では、定規測定マーキングが底部１１０及び／又は上部１２０に沿って配置され得る。ツールの底部及び上部は、適切な任意の大きさであってよい。例えば、ツールは、長さが約５．１インチ、幅が約２．２インチで、幅対長さの比率が約１：２．２であってよい。あるいは、ツールは、幅が約３．２インチ、長さが約７．３インチで、幅対長さの比率が約１：２．３であってもよい。ツールは、適切な任意の大きさとすることができ、幅対長さの比率は、デザインが確実に所望の形状及び大きさとなるように、必要に応じて調節され得る。ツールは、木材、プラスチック、金属など、耐久性及び弾力性を有する適切な任意の材料から成るものであってよい。
【００１３】
図６Ａ〜図６Ｆは、本発明の多目的ツールを使用して様々な工芸品を作成する様子を示す。使用者は、様々な織物工芸品及び繊維ベースの工芸品（これらに限定されないが、ポンポンやタッセル、友情のブレスレット、その他のブレスレット、ネックレス、様々な紐、織物など）を作るために、底部１１０を操作することにより、ヤーンや糸、フロス、プラスチック、撚り糸、枝状体、ロープ、フィラメント、金属糸といった、織ることのできる様々な繊維ベースの材料を利用することができる。使用者が作っているものに応じて、ツール１００の全部品が同時に使用されなくてもよい。例えば、図６Ａに示すようなポンポン及びタッセルを作るためには、第１部材１２０ａ及び第２部材１２０ｂ、並びにそれらのノッチ１２５ａが使用される。ツールを使用する一手法では、繊維ベースの材料、例えばヤーン２１０が、まずノッチ１２５ａの一つに固定され、次いで、上部１２０の第１部材及び第２部材の周りに水平に巻かれ（ｗｒａｐｐｅｄ）又は巻き付けられ（ｗｏｕｎｄ）、その後、中間部で結わわれる。
【００１４】
図６Ｂに示される別の使用態様では、織物を作るために、使用者は、まず、ヤーン２１０を上部のノッチ１２５ａ及び底部のノッチ１１５に固定することにより縦糸を作成し、次いで、当該縦糸における先に固定されたヤーンの張りを通じて織る。使用者は、手を使って、又は針２３０など別の物体を使って、ヤーンを織ることができる。図６Ｃ、図６Ｄ、及び図６Ｅに示すような友情のブレスレット、ブレード（ｂｒａｉｄｓ）、及び様々な紐を作成するために、底部のノッチ１１５並びに上部のノッチ１２５ａ及び１２５ｂが使用される。孔１３０を使用することもできる。ヤーン２１０は、所望のパターン及び工芸品のスタイルに基づき、ツールの上部及び／又は底部に沿って様々な構成で固定される。使用者は、織物において、第２の繊維ベースの材料、すなわちヤーン２２０を使用してもよい。ヤーン２２０は、魅力的なブレスレット又は紐を作成するために、色、質感、形状、パターンなどがヤーン２１０とは異なるものであってよい。使用者は、様々な面白い工芸パターンを作成するために、単一のヤーンを使用してもよく、複数のヤーンを使用してもよい。ツールの底部は、ハンドルとして機能することもでき、ツールの上部は、一つ以上のアームとして機能することもできる。ノッチと上部及び／又は底部との組合せにより、ツールは、複数の工芸品を作るという目的を果たすことが可能になる。ツールは、ブレスレットなど連鎖状の工芸品又はポンポンなど非連鎖状の工芸品を作成するために使用され得る。さらに、使用者は、工芸品を作成するための必要に応じて、ツールの一つ以上の部分を使用することができる。異なる実施形態のツールを使用すると、作ることのできる様々な工芸品がさらに加わる。使用者は、織り作業時又はその後にビーズ、真珠などを工芸品に組み込むことにより、さらなる多様性及びパターンを工芸品に与えることもできる。同じツールを用いたとしても、ノッチの周りにヤーンを配置して巻き付ける技術を変えることはでき、ノッチ自体がツールを異なる向きにセットアップするために使用されてもよく、工芸品及び工芸事業について略無限の可能性を与え得る。従って、本発明の工芸ツールは、様々な工芸品を簡単に作成するために、子供にも大人にも使用され得る。
【００１５】
図６Ｆに示される別の実施形態では、使用者は、工芸品作成ツール１００をパチンコとして使用することができる。弾性バンド２６０がツールの上部のノッチ１２５ａに固定され、弾性バンド２６０に小さなネット２５０が取り付けられる。ネット２５０は、ボール２４０のような小さな物体を飛ばすためのパチンコとして機能する。
【００１６】
上述の実施形態は本発明の原理の応用の単なる例示に過ぎないということが理解されよう。上述の例示的な説明は、網羅的なものとは想定されておらず、本発明を開示された厳密な形態に限定するものとして想定されてもいない。上記の教示に照らして、本発明の趣旨及び範囲を逸脱することなく、様々な修正例及び代替的な応用例が当業者により考案され得る。以下の特許請求の範囲は、こうした修正例、応用例、及び実施形態をカバーするものと想定されている。
【符号の説明】
【００１７】
１００  ツール
１１０  底部
１１０ａ  第１底部部材
１１０ｂ  第２底部部材
１１５  ノッチ
１２０  上部
１２０ａ  第１上部部材
１２０ｂ  第２上部部材
１２５ａ  リッジ
１２５ａ  ノッチ
１２５ｂ  ノッチ
１３０  孔
２１０  ヤーン
２２０  ヤーン
２３０  針
２４０  ボール
２５０  ネット
２６０  弾性バンド
【図１】
2018528333.tif 000003
【図２Ａ】
2018528333.tif 000004
【図２Ｂ】
2018528333.tif 000005
【図３】
2018528333.tif 000006
【図４】
2018528333.tif 000007
【図５】
2018528333.tif 000008
【図６Ａ】
2018528333.tif 000009
【図６Ｂ】
2018528333.tif 000010
【図６Ｃ】
2018528333.tif 000011
【図６Ｄ】
2018528333.tif 000012
【図６Ｅ】
2018528333.tif 000013
【図６Ｆ】
2018528333.tif 000014
【国際調査報告】
2018528333.tif 000015
2018528333.tif 000016